(57)【要約】【課題】この発明は、製造や組み立てに手間がかからずコストをさげることができ、またペニスに装着してリング内周の突条で締め付けるようにしたものであるためペニスを押圧して勃起させる力が十分に確保できる性不全者用補助リングを提供しようとする。【解決手段】この発明の性不全者用補助リングは、弾性素材からなる所定幅のリング本体と、該リング本体内側の幅方向の上下内周面には一対のガイド溝がリング本体の長さ方向に沿って形成され、この上下のガイド溝間には１ないし複数のゲルマニウム部材が装着されて保持されており、また前記リング本体内側の幅方向の上下端部には、該リング本体から内向きの突条が形成されていて、前記リング本体を弾性的にペニスの根元に装着するようにしたことを特徴とする。【選択図】  図３
2016007448.tif 000002
【特許請求の範囲】
【請求項１】
伸縮素材からなる所定幅のリング本体と、該リング本体内側の幅方向の上下内周面には一対のガイド溝がリング本体の長さ方向に沿って形成され、この上下のガイド溝間には１ないし複数のゲルマニウム部材が装着されて保持されており、また前記リング本体内側の幅方向の上下端部には、該リング本体から内向きの突条が形成されていて、前記リング本体を弾性的にペニスの根元に装着するようにしたことを特徴とする性不全者用補助リング。
【請求項２】
前記ゲルマニウム部材は、所望のサイズのホルダ内に固定され、該ホルダを介して前記リング本体内側の幅方向の上下内周面に設けた一対のガイド溝間に保持するようにしたことを特徴とする請求項１記載の性不全者用補助リング。
【請求項３】
前記リング本体は、ゲルマニウム部材もしくはホルダを保持する部位における変形による脱落を防止するために、当該部位を他の部分のリング本体と異なる低伸縮素材で構成してリング本体と連結一体化したことを特徴とする請求項１または２記載の性不全者用補助リング。
【発明の詳細な説明】
【技術分野】
【０００１】
本発明はリング本体の平滑な面でペニスを締め付けるのではなく、２本の突条でより効果的に締め付けることができ、またゲルマニウムの活性力を併用してペニスの勃起力を最大に高めることができるようにした性不全者用補助リングに関するものである。
【背景技術】
【０００２】
従来、インポテンツの治療を目的としたり、性行為時の補助具として用いることを目的とするペニスに嵌合するリングが知られている。
例えば実開昭５６−６３４２２号公報（特許文献１参照）、登録実用新案第３０３１３８７号公報（特許文献２参照）、登録実用新案第３０８９１９７号公報（特許文献３参照）に開示された技術のように、ゴム製リング内に永久磁石等の血行を促進する部材を埋め込んだり、登録実用新案第３０７３２２８号公報（特許文献４参照）や特開２００６−１８５７９６号公報（特許文献５参照）に開示された技術のように、主材であるシリコンゴム材にゲルマニウムの粉体や磁粉を混合して成形したリングである。
【先行技術文献】
【特許文献】
【０００３】
【特許文献１】実開昭５６−６３４２２号公報
【特許文献２】登録実用新案第３０３１３８７号公報
【特許文献３】登録実用新案第３０８９１９７号公報
【特許文献４】登録実用新案第３０７３２２８号公報
【特許文献５】特開２００６−１８５７９６号公報
【発明の概要】
【発明が解決しようとする課題】
【０００４】
しかしながら、前記先行技術のいずれのものもゴム製リング内に永久磁石等の血行を促進する部材を埋め込んだり、主材であるシリコンゴム材にゲルマニウムの粉体や磁粉を混合して成形したものであるためその製造に手間がかかったり、またペニスに装着してリング内周の平滑面で締め付けるようにしたものであるためペニスを押圧して勃起させる力が不十分であるという問題点があった。
【０００５】
この発明は、製造や組み立てに手間がかからずコストを下げることができ、またペニスに装着してリング内周の突条で締め付けるようにしたものであるためペニスを押圧して勃起させる力が十分に確保できる性不全者用補助リングを提供しようとするものである。
【課題を解決するための手段】
【０００６】
すなわちこの発明の性不全者用補助リングは、伸縮素材からなる所定幅のリング本体と、該リング本体内側の幅方向の上下内周面には一対のガイド溝がリング本体の長さ方向に沿って形成され、この上下のガイド溝間には１ないし複数のゲルマニウム部材が装着されて保持されており、また前記リング本体内側の幅方向の上下端部には、該リング本体から内向きの突条が形成されていて、前記リング本体を弾性的にペニスの根元に装着するようにしたことを特徴とするものである。
【０００７】
この発明の性不全者用補助リングにおいて、前記ゲルマニウム部材は、所望のサイズのホルダ内に固定され、該ホルダを介して前記リング本体内側の幅方向の上下内周面に設けた一対のガイド溝間に保持するようにしたことをも特徴とするものである。
【０００８】
この発明の性不全者用補助リングにおいて、前記リング本体は、ゲルマニウム部材もしくはホルダを保持する部位における変形による脱落を防止するために、当該部位を他の部分のリング本体と異なる低伸縮素材で構成してリング本体と連結一体化したことをも特徴とするものである。
【発明の効果】
【０００９】
請求項１の発明では、製造や組み立てに手間がかからずコストをさげることができ、またペニスに装着してリング本体内側に形成した突条で締め付けるようにしたものであるため、ペニスを押圧して勃起させる力が十分に確保できる性不全者用補助リングを提供することができる。
【００１０】
請求項２の発明では、ゲルマニウム部材を所望のサイズのホルダ内に保持するようにしたものであるため、ゲルマニウム部材の耐久性を大幅に向上させ、また簡単にリング本体に組み込むことができる性不全者用補助リングを提供することができる。
【００１１】
請求項３の発明では、ゲルマニウム部材もしくはホルダを保持する部位における変形による脱落を防止するために、当該部位を他の部分のリング本体と異なる低伸縮素材で構成してリング本体と連結一体化したものであるため、リング本体の伸縮性によるペニスへの装着性と、ゲルマニウム部材もしくはホルダを保持する部位における変形による脱落防止機能とを両立させた性不全者用補助リングを提供することができる。
【図面の簡単な説明】
【００１２】
【図１】この発明の性不全者用補助リングの１実施例を示す平面図である。
【図２】その横断面図である。
【図３】その斜視図である。
【発明を実施するための形態】
【００１３】
以下、この発明の性不全者用補助リングの実施の形態を図面に基いて詳細に説明する。
この発明の性不全者用補助リングは、図１ないし図３に示すように、シリコンゴム等の伸縮素材からなる所定幅のリング本体１１と、該リング本体１１の幅方向に設けた少なくとも上下一対のガイド溝１２に装着した１ないし複数の好ましくは板状のゲルマニウム部材１３とを備えている。
【００１４】
より詳しくは、前記リング本体１１内側の幅方向の上下の内周面には一対のガイド溝１２が形成されている。そしてこの上下のガイド溝１２間には１ないし所定間隔で配置した複数のゲルマニウム部材１３が装着されて保持されている。
また前記ゲルマニウム部材１３は、望ましくは所望のサイズの板状のホルダ２１に設けた凹所２１ａ内にはめ込んで一体的に固定されており、該ホルダ２１を介して前記リング本体１１内側の幅方向の上下内周面に設けた一対のガイド溝１２間に保持する。前記ゲルマニウム部材１３とホルダ２１とは成形時に一体化したり、接着剤によって固着することができる。
【００１５】
ゲルマニウム部材１３もしくはホルダ２１をリング本体１１に取り付けるに際しては、一対のガイド溝１２間の寸法をゲルマニウム部材１３もしくはホルダ２１の外径よりも小さくしておき、前記リング本体１１の弾性を利用して装着すれば良い。もちろん、接着剤等で前記ゲルマニウム部材１３もしくはホルダ２１を前記リング本体１１により強固に固着してもよい。
このように、ゲルマニウム部材１３を所望のサイズのホルダ２１内に保持することにより、ゲルマニウム部材１３の耐久性を大幅に向上させ、また簡単にリング本体１１に組み込むことができるようになる。
【００１６】
前記リング本体１１内側の幅方向の上下端部には、該リング本体１１から内向きの突条１４が一対形成されていて、前記リング本体１１を弾性的にペニスの根元に装着するようにしてある。
したがってペニスの根元等に装着してリング本体１１内側に形成した突条１４で締め付けるようにしたものであるため、ペニスを押圧して勃起させる力が十分に確保できる。
【００１７】
なお、前記リング本体１１はゲルマニウム部材１３もしくはホルダ２１を保持する部位１１ａにおいて例えば使用中に変形して脱落するのを防止することが望ましい。
そのためには、当該部位１１ａを他の部分のリング本体１１と異なる低伸縮素材で構成し、リング本体１１と成形時において、あるいは接着剤等を用いて連結一体化する。
【００１８】
このように、ゲルマニウム部材１３もしくはホルダ２１を保持する部位１１ａにおける変形による脱落を防止するために、当該部位１１ａを他の部分のリング本体１１と異なる低伸縮素材で構成してリング本体１１と連結一体化したものであるため、リング本体１１の伸縮性によるペニスへの装着性と、ゲルマニウム部材１３もしくはホルダ２１を保持する部位１１ａにおける変形による脱落防止機能とを両立させることができる。
【００１９】
なお、この発明において用いられるゲルマニウム部材１３の効果について付言しておく。
元素のゲルマニウムは３２℃の温度になると反応し、外側の４個のマイナス電子が飛び出してその電子的特性により装着部分の細胞が活性化される。その結果、例えばペニス内の海綿体への血行が促進され、勃起のメカニズムを高めることとなる。
またゲルマニウムは自身が発する遠赤外線によってペニスを芯から温め、血行を促進する能力を持っている。
【００２０】
＜ゲルマニウム＞
元素の周期表３２番目の元素で、記号はＧｅ、炭素系元素のひとつである。
金属と非金属の中間に位置し、天然鉱石なので半永久的にマイナス電子を放出し続ける。
ゲルマニウムの接触面の温度が３２℃以上になると、一番外側を回る４個のマイナス電子が外に飛び出し、電子浸透圧が働いてイオン化し、皮膚組織の下に浸透する。
皮下組織中の毛細血管に到達したゲルマニウムイオンは血管壁を透過して血管に浸透し、血流中に電子の移動を行う。この電子特性がより接触面の血行を促進し、細胞を活性化させ、細胞内の電流バランスを整える。
またゲルマニウムは体への副作用の心配がまったくなく、心臓ペースメーカーや脳内フリップを使用していても安心して使用することができる。
【産業上の利用可能性】
【００２１】
この発明の性不全者用補助リングは、前述のインポテンツの治療を目的としたり、性行為時の補助具として用いることを目的とするペニスに嵌合するリングとしてのみならず、上記以外の用途にも適用できることはいうまでもない。
【符号の説明】
【００２２】
１１  リング本体
１１ａ  ゲルマニウム部材もしくはホルダを保持する部位
１２  ガイド溝
１３  ゲルマニウム部材
１４  突条
２１  ホルダ
２１ａ  凹所
【図１】
2016007448.tif 000003
【図２】
2016007448.tif 000004
【図３】
2016007448.tif 000005